(57)【要約】      （修正有）【課題】アスファルトカッターに対して十分な耐切断性能を持つ保護板を提供する。【解決手段】地中に埋設された埋設資材を保護する保護板であって、本体部２と、本体部の一方から外方に向かって突出した半円形状の突出部３と、本体部の他方において突出部に対応する円弧形状に陥入した陥入部４と、を備え、少なくとも本体部の表層が、ブリネル硬さが４５０ＨＢＷ以上の白鋳鉄により構成されている。【選択図】図１
0003228617.tif 000002
【実用新案登録請求の範囲】
【請求項１】
地中に埋設された埋設資材を保護する保護板であって、
少なくとも前記保護板の表層が、ブリネル硬さが４５０ＨＢＷ以上の白鋳鉄により構成されていることを特徴とする保護板。
【請求項２】
本体部と、前記本体部の一方から外方に向かって突出した半円形状の突出部と、前記本体部の他方において前記突出部に対応する円弧形状に陥入した陥入部と、を備え、
一の保護板の前記陥入部に他の保護板の前記突出部が嵌まり込むようにして複数の保護板が敷設されるとき、
前記突出部は、隣接する保護板の陥入部と係合する係合爪を有し、
前記陥入部は、前記係合爪が係合する係合溝を有することを特徴とする請求項１に記載の保護板。
【請求項３】
前記係合爪は、基端側において前記突出部の下面側と連続するように突出し、先端側において上方に屈曲した形状に形成され、
前記係合溝は、前記陥入部の下面側に掘り込み形成されていることを特徴とする請求項２に記載の保護板。
【請求項４】
前記突出部は、該突出部の下面側においてその外周縁に沿って掘り込み形成された掘り込み部を有し、
前記陥入部は、該陥入部の両端部において下面と連続面を成すようにして内方に延伸された一対の支持片と、を有し、
一の保護板の前記支持片は、隣接する他の保護板の前記掘り込み部を支持することを特徴とする請求項２又は請求項３に記載の保護板。
【考案の詳細な説明】
【技術分野】
【０００１】
本考案は、地中に埋設された埋設資材を保護する保護板に関する。
【背景技術】
【０００２】
近年、街の景観向上や災害時における電線の垂れ下がり事故を防止するために、電線を地中に埋設して電柱を無くす無電柱化が全国的に推進されている。また、地中には、電線の他にも情報通信ケーブルやガス管等も埋設されている。これらの埋設資材は、埋設工事のコスト減縮及び工期短縮の観点から、一般的に地面から比較的浅い箇所に埋設される。
【０００３】
そのため、図６に示すように、例えば、道路工事により地面を掘り起こす場合に、アスファルトカッターＡにより埋設資材Ｌを誤って切断してしまう事故が発生する虞がある。そこで、これらの埋設資材Ｌの上方に鋼板等から成る保護板Ｐを敷設し、これにより、埋設資材Ｌを上記のような事故から保護することが考えられる（例えば、特許文献１参照）。このような保護板Ｐは、埋設資材Ｌに沿って列状に複数敷設される。
【先行技術文献】
【特許文献】
【０００４】
【特許文献１】特開２０１８−１１４９３号公報
【考案の概要】
【考案が解決しようとする課題】
【０００５】
しかしながら、上述したような保護板では硬度が足りず、アスファルトカッターに対して十分な耐切断性能を持つとは言えない。
【０００６】
本考案は、上記課題を解決するものであって、アスファルトカッターに対して十分な耐切断性能を持つ保護板を提供することを目的とする。
【課題を解決するための手段】
【０００７】
本考案は、地中に埋設された埋設資材を保護する保護板であって、少なくとも前記保護板の表層が、ブリネル硬さが４５０ＨＢＷ以上の白鋳鉄により構成されていることを特徴とする。
【考案の効果】
【０００８】
本考案によれば、保護板が高硬度の材料により構成されているので、アスファルトカッターに対して十分な耐切断性能を持つ。
【図面の簡単な説明】
【０００９】
【図１】（ａ）は、本考案の実施形態に係る保護板を上方から見たときの斜視図、（ｂ）は、同保護板を下方から見たときの斜視図、（ｃ）は、（ｂ）とは異なる下方から見たときの斜視図。
【図２】（ａ）は、上記保護板の上面図、（ｂ）は、（ａ）のＩ−Ｉ線断面図。
【図３】（ａ）は、互いに接続された２つの上記保護板の上面図、（ｂ）は、（ａ）のＩＩ−ＩＩ線断面図。
【図４】一の保護板に他の保護板を接続する際の動作を示す断面図。
【図５】互いに接続された複数の上記保護板において、各々の保護板の相対角度を調整した状態を示す上面図。
【図６】アスファルトカッターによる埋設資材の切断事故を示す図。
【考案を実施するための形態】
【００１０】
本考案一実施形態に係る保護板について図１乃至図５を参照して説明する。本保護板は、地中に埋設された電線、情報通信ケーブル、ガス管等の埋設資材の上方に敷設され、道路工事等の際に、アスファルトカッターによる埋設資材の切断事故やバックホーによる埋設資材の掘り返し事故を防止するものである。
【００１１】
図１（ａ）乃至（ｃ）及び図２（ａ）（ｂ）に示すように、保護板１は、全体として平板状に形成され、下面１１が埋設資材と相対するようにして敷設される。平面視において保護板１は、本体部２と、本体部２の一方から外方に向かって突出した半円形状の突出部３と、本体部２の他方において突出部３に対応する円弧形状に陥入した陥入部４と、を備える。陥入部４の外周縁４１は、突出部３の外周縁３１と同じ曲率を有するように構成され、突出部３の突出方向（以下、Ｘ方向という）に沿って平行移動させると外周縁３１と重なる。本体部２は、Ｘ方向に沿って伸びる一対の辺２１、２２を有する。
【００１２】
また、保護板１は、本体部２及び突出部３の上面１２側に凹設された肉抜き部５を備える。このような肉抜き部５を設けることで、保護板１を軽量化すると共に、材料費を削減して低コスト化を図ることができる。肉抜き部５は、Ｘ方向に沿って伸びる補強部５１により複数の領域に隔てられており、図例では、本体部２及び突出部３の中央に設けられた１つの補強部５１により２つの領域に隔てられている。このような補強部５１を設けることで、肉抜き部５により保護板１の軽量化及び低コスト化を可能としつつ、保護板１の強度低下を抑制することができる。
【００１３】
肉抜き部５には、上面１２側から下面１１側に貫通した貫通孔５２が設けられ、図例では、補強部５１のＸ方向における両端部直下にそれぞれ１箇所ずつ、そして、Ｘ方向に直交するＹ方向における陥入部４側の両端部直下にそれぞれ１箇所ずつの計４箇所に、長穴状の貫通孔５２が設けられている（図２（ａ）参照）。このような貫通孔５２を設けることで、地中に埋設された保護板１において肉抜き部５に雨水等が溜まったとしても、貫通孔５２から排水することができる。
【００１４】
図３（ａ）（ｂ）に示すように、保護板１では、陥入部４の外周縁４１が突出部３の外周縁３１と同じ曲率を有する円弧形状に形成されているので、一の保護板１ａの陥入部４に他の保護板１ｂの突出部３が嵌まり込んだときに、突出部３と陥入部４とが互いにぴったりと嵌り合う。そして、突出部３は、隣接する保護板１の陥入部４と係合する係合爪３２を有し、陥入部４は、係合爪３２が係合する係合溝４２を有する（図１（ｃ）も参照）。
【００１５】
係合爪３２は、突出部３の下面１１側と連続して外周縁３１の中央から外方に向かって凸設された基端３３と、基端３３の外端部から上方に屈曲するように形成された先端３４と、を有する。係合溝４２は、陥入部４の下面１１側において外周縁４１に沿って掘り込み形成された円弧形状の凹溝４３と、凹溝４３の外周縁４１側において下方へと伸びるように形成された円弧形状の凸縁４４と、を有する。凸縁４４の下端部４５は、下方に凸となった曲面により形成されている（図３（ｂ）参照）。
【００１６】
また、突出部３は、突出部３の下面１１側において外周縁３１に沿って掘り込み形成された円弧形状の掘り込み部３５を有し、陥入部４は、陥入部４のＹ方向における両端部において下面１１と連続面を成すように設けられた一対の支持片４６を有する（図１（ｂ）も参照）。一対の支持片４６は、互いに対向するようにして内方に延伸され、一の保護板１ａの陥入部４に他の保護板１ｂの突出部３が嵌まり込んだときに、掘り込み部３５を下面１１側から支持する。
【００１７】
保護板１は、鋼板の３倍以上の硬度を持つブリネル硬さが４５０ＨＢＷ以上の白鋳鉄により構成されている。これにより、保護板１は、アスファルトカッターに対して十分な耐切断性能を持つ。また、保護板１は、例えば、Ｘ方向における長さが４５０ｍｍ、Ｙ方向における長さが３００ｍｍ、厚さが４０ｍｍの大きさで、且つ１５ｋｇ程度の重さを持つように形成される。このような大きさ及び重さとすることにより、作業員が一人でも保護板１の運搬及び敷設を行うことができる。
【００１８】
保護板１は、その内部まで全てが白鋳鉄でなくても、少なくともその表層（例えば、表面から５〜１５ｍｍの厚みにかけての層）が白鋳鉄により構成されていればよい。表層を白鋳鉄とする方法としては、例えば、溶けた鉄を、保護板１の形状の型に流し込み、急冷させることが挙げられる。なお、表層の１０ｍｍ程度が白鋳鉄化していれば、保護板１として、上述した強度を確保することができ、必要な耐切削性の効果を得ることができる。
【００１９】
図４に示すように、一の保護板１ａに他の保護板１ｂを接続するには、保護板１ｂの係合爪３２の先端３４が保護板１ａの凸縁４４を通り越して凹溝４３に入り込むようにして、保護板１ａの陥入部４に保護板１ｂの突出部３を斜め上方から接近させる。このとき、凸縁４４の下端部４５が曲面により構成され、且つ係合爪３２の先端３４が上方に屈曲するように形成されているので、先端３４をスムーズに凹溝４３に入り込ませることができる。そして、保護板１ｂを保護板１ａに対して平行にすると、先端３４が凹溝４３に入り込むと共に凸縁４４に引っかかり、保護板１ａ、１ｂが互いに接続される。また、このとき、保護板１ａの支持片４６が、保護板１ｂの掘り込み部３５を下面１１側から支持する（図３（ｂ）参照）。このようにして、保護板１ａ、１ｂの接続は、工具不要且つワンタッチに行うことができる。
【００２０】
上記構成によれば、複数の保護板１を互いに隣接させて敷設したときに、係合爪３２と係合溝４２との係合により一の保護板１と他の保護板１とが互いに接続される。そのため、仮に、道路工事等の際にアスファルトカッターやバックホーのショベルが一の保護板１に接触したとしても、一の保護板１は、他の保護板１により繋ぎ止められて移動が制限されるので、位置ずれを抑制することができる。
【００２１】
具体的には、例えば、一の保護板１ｂがアスファルトカッターにより上方から押さえつけられた場合（図３（ｂ）参照）、隣接する保護板１ａの支持片４６が、押さえつけられた保護板１ｂの掘り込み部３５を下面１１側から支持しているので、保護板１ｂの下方向への移動は規制され、隣り合う保護板１ａ、１ｂは互いに平行な状態で保持される。
【００２２】
また、一の保護板１ｂがバックホーのショベルによって持ち上げられた場合には、その保護板１ｂの係合爪３２が隣接する保護板１ａの係合溝４２に係合しているので、保護板１ｂの上方向への移動は規制され、隣り合う保護板１ａ、１ｂは互いに平行な状態で保持される。また、隣り合う保護板１ａ、１ｂは、突出部３と陥入部４とが噛み合った状態で接続され、それらの接続境界が直線状ではなく円弧形状になっているので、この接続境界に直線状に切削を行うアスファルトカッターの歯の進入を遮断することができる（図５参照）。
【００２３】
更に、図５に示すように、突出部３の外周縁３１と陥入部４の外周縁４１とが互いに同じ曲率を有するように形成され、且つ外周縁４１に沿って設けられた円弧形状の係合溝４２に係合爪３２が係合しているので、係合溝４２に係合爪３２が係合している範囲で、一の保護板１ａに対する他の保護板１ｂの相対角度θを、例えば、±３０°の範囲で変更することができる。このようなフレキシブルな接続構造を利用して各々の保護板１の相対角度を調整することにより、仮に埋設資材が曲線状に敷設されている場合であっても、埋設資材に沿って複数の保護板１を敷設することができる。
【００２４】
なお、本考案に係る保護板は、上記実施形態に限定されず種々の変形が可能である。例えば、保護板は、掘り込み部及び支持片を有さない構成とされてもよい。また、保護板は、必ずしも肉抜き部を備えていなくてもよい。
【符号の説明】
【００２５】
１、１ａ、１ｂ  保護板
１１  下面
２  本体部
３  突出部
３２  係合爪
３１  突出部の外周縁
３３  係合爪の基端
３４  係合爪の先端
３５  掘り込み部
４  陥入部
４２  係合溝
４６  一対の支持片
５  肉抜き部
５１  補強部
５２  貫通孔
Ｘ  突出部の突出方向
【図１】
0003228617.tif 000003
【図２】
0003228617.tif 000004
【図３】
0003228617.tif 000005
【図４】
0003228617.tif 000006
【図５】
0003228617.tif 000007
【図６】
0003228617.tif 000008
【手続補正書】
【提出日】令和2年7月29日(2020.7.29)
【手続補正１】
【補正対象書類名】実用新案登録請求の範囲
【補正対象項目名】全文
【補正方法】変更
【補正の内容】
【実用新案登録請求の範囲】
【請求項１】
地中に埋設された埋設資材を保護する保護板であって、
本体部と、前記本体部の一方から外方に向かって突出した半円形状の突出部と、前記本体部の他方において前記突出部に対応する円弧形状に陥入した陥入部と、を備え、
少なくとも前記本体部の表層が、ブリネル硬さが４５０ＨＢＷ以上の白鋳鉄により構成されていることを特徴とする保護板。
【請求項２】
一の保護板の前記陥入部に他の保護板の前記突出部が嵌まり込むようにして複数の保護板が敷設されるとき、
前記突出部は、隣接する保護板の陥入部と係合する係合爪を有し、
前記陥入部は、前記係合爪が係合する係合溝を有することを特徴とする請求項１に記載の保護板。
【請求項３】
前記係合爪は、基端側において前記突出部の下面側と連続するように突出し、先端側において上方に屈曲した形状に形成され、
前記係合溝は、前記陥入部の下面側に掘り込み形成されていることを特徴とする請求項２に記載の保護板。
【請求項４】
前記突出部は、該突出部の下面側においてその外周縁に沿って掘り込み形成された掘り込み部を有し、
前記陥入部は、該陥入部の両端部において下面と連続面を成すようにして内方に延伸された一対の支持片と、を有し、
一の保護板の前記支持片は、隣接する他の保護板の前記掘り込み部を支持することを特徴とする請求項２又は請求項３に記載の保護板。